(57)【要約】【課題】  複数条への植え付けを同時にできる芋植付機を提供する。【解決手段】  機体１１の上部に搬送距離の長い第１搬送コンベヤ１２と搬送距離の短い第２搬送コンベヤ１３を機体１１の前後に対して左右向きに且つそれぞれの搬送先位置が左右で異なるように取り付ける。牽引車２０を前進させて種芋Ｐを第１及び第２搬送コンベヤ１２，１３に載せると、種芋Ｐは右側へ搬送されて作業者Ｈａの両側の植付け箇所３１へそれぞれ落下する。落下後の種芋Ｐは覆土板１１ｅで覆土された後、ドラム１１ｆで軽く押し付けられて植え付けられる。以上のようにして、２体の第１及び第２搬送コンベヤ１２，１３で種芋Ｐを連続的に搬送・落下させることで、２条の植付け箇所３１へ同時に植え付けできる。【選択図】  図５
2009159923.tif 000002
【特許請求の範囲】
【請求項１】
牽引車で牽引される機体に複数の種芋を搬送して畑へ１個づつ落下させる搬送コンベヤを機体の前後に対して左右向きに備えた芋植付機において、前記搬送コンベヤを機体の前後に複数列設し、しかも各搬送コンベヤの種芋の落下位置が左右で異なるようにし、各搬送コンベヤを連動させる駆動手段を設け、各搬送コンベヤで搬送した種芋を複数条に植え付けできるようにしたことを特徴とする、芋植付機。
【請求項２】
各搬送コンベヤの搬送距離がそれぞれ異なるものであって、各搬送コンベヤの種芋の載置位置が近接するように、且つ各搬送コンベヤの種芋の落下位置が異なるように列設した、請求項１記載の芋植付機。
【請求項３】
駆動手段が、各搬送コンベヤを回動させるスプロケットと機体の車輪の車軸に備えたスプロケットとの間にベベルギヤを介して駆動チェーン又は駆動ベルトを掛架し、車輪の回転力を伝達して各搬送コンベヤを同速度で連動できるようにしたものである、請求項１又は２記載の芋植付機。
【請求項４】
機体の左右の車輪が車軸に固定されて一体的に回転するものである、請求項３記載の芋植付機。
【発明の詳細な説明】
【技術分野】
【０００１】
本発明は、馬鈴薯や里芋等の種芋を畑へ植え付ける芋植付機に関する。
【背景技術】
【０００２】
従来、種芋の植え付け作業は特許文献１，２に示されるような芋植付機を利用して行われている。これらの芋植付機は、牽引車で牽引される機体に搬送コンベヤを機体の前後に対して左右向きに取り付た構造で、牽引車で芋植付機を牽引しながら種芋を搬送コンベヤに載せ、搬送された種芋が搬送先から畑へ落下して一定間隔に植え付けられていくものである。
【０００３】
ところで、前記技術では搬送コンベヤが１体であるから単列条にしか植え付けできず、複数条に植え付ける場合は芋植付機を往復させる必要があった。また、搬送コンベヤを機体の左右に取り付けて複数条に同時に植え付けることも可能であるが、作業者を更に１人要し、しかも芋植付機が大型化してコストがかかる問題があった。近年では更なる効率化及び低コスト化が求められており、本発明は以上のような事情に鑑みて成されたものである。
【特許文献１】特開平１０−１６４９１３号公報
【特許文献２】特開２０００−３０００１４号公報
【発明の開示】
【発明が解決しようとする課題】
【０００４】
本発明が解決しようとする課題は、従来のこれらの問題点を解消し、複数条への植え付けを同時にできる芋植付機を提供することにある。
【課題を解決するための手段】
【０００５】
かかる課題を解決した本発明の構成は、
１）  牽引車で牽引される機体に複数の種芋を搬送して畑へ１個づつ落下させる搬送コンベヤを機体の前後に対して左右向きに備えた芋植付機において、前記搬送コンベヤを機体の前後に複数列設し、しかも各搬送コンベヤの種芋の落下位置が左右で異なるようにし、各搬送コンベヤを連動させる駆動手段を設け、各搬送コンベヤで搬送した種芋を複数条に植え付けできるようにしたことを特徴とする、芋植付機
２）  各搬送コンベヤの搬送距離がそれぞれ異なるものであって、各搬送コンベヤの種芋の載置位置が近接するように、且つ各搬送コンベヤの種芋の落下位置が異なるように列設した、前記１）記載の芋植付機
３）  駆動手段が、各搬送コンベヤを回動させるスプロケットと機体の車輪の車軸に備えたスプロケットとの間にベベルギヤを介して駆動チェーン又は駆動ベルトを掛架し、車輪の回転力を伝達して各搬送コンベヤを同速度で連動できるようにしたものである、前記１）又は２）記載の芋植付機
４）  機体の左右の車輪が車軸に固定されて一体的に回転するものである、前記３）記載の芋植付機
にある。
【発明の効果】
【０００６】
本発明によれば、複数の搬送コンベヤをその種芋の落下位置が左右で異なるように列設したから、各搬送コンベヤで搬送された種芋が異なる左右位置で畑へ落下して複数条に同時に植え付けられる。したがって、従来技術と比較して植え付け作業を大幅に効率化して生産コストを低減できるようになる。また、複数の搬送コンベヤは同じ向きに列設しているから、１体の搬送コンベヤを装備した従来の芋植付機と同程度の寸法に納まり、大型化することがない。
【発明を実施するための最良の形態】
【０００７】
本発明の駆動手段は、牽引車の動力を利用してもよいが、機体の車輪の回転力を直接伝達できるようにすると、機体の進行速度に係わらず種芋の植え付け間隔を一定に保持でき、しかも牽引車との連結・分離が容易となる。機体の左右の車輪は車軸に固定して一体的に回転できるようにすると、走行中に片輪が浮いても搬送コンベヤを駆動し続けることができる。各搬送コンベヤは機体から突出する部分を下方へ折り曲げ可能にし、未使用時にコンパクトな形態にできるようにしてもよい。搬送コンベヤは一般的に２体列設されるが、機体に装備可能な範囲で３体、４体を列設してもよい。各搬送コンベヤは搬送距離がそれぞれ異なるものを用い、それぞれの種芋の載置位置が近接する（１人の作業者の手が容易に届く位置となる）ように、且つ各搬送コンベヤの種芋の落下位置が異なる（例えば２条の植付け箇所の間を歩行しながら牽引車を操作する作業者の両側位置となる）ように列設する。種芋は平坦な畑へ植え付けた後に畦土を形成してもよいし、予め形成した畦土に植え付けてもよい。以下、本発明の実施例を図面に基づいて具体的に説明する。
【実施例１】
【０００８】
図１〜５に示す実施例は、２体の搬送コンベヤを列設して２条の植付け箇所へ同時に植え付けできるようにした芋植付機の例である。図１は実施例の芋植付機の左側面図、図２は実施例の芋植付機の背面図、図３は実施例の搬送コンベヤの説明図、図４は実施例の搬送コンベヤへの動力伝達経路を示す説明図、図５は実施例の芋植付機の使用状態を示す平面図である。
【０００９】
図中、１０は芋植付機、１１は機体、１１ａは車輪、１１ｂは車軸、１１ｃはスプロケット、１１ｄは排土板、１１ｅは覆土板、１１ｆはドラム、１１ｇは駆動チェーン、１１ｈはベベルギヤ、１１ｉは変速機、１１ｊはテンションローラ、１１ｋは遊車スプロケット、１２は第１搬送コンベヤ、１２ａはスプロケット、１２ｂはプーリー、１２ｃはベルト、１２ｄは仕切板、１３は第２搬送コンベヤ、１３ａはスプロケット、１３ｂはプーリー、１３ｃはベルト、１３ｄは仕切板、１４は容器、２０は牽引車、３０は畑、３１は植付け箇所、Ｈａ，Ｈｂは作業者、Ｐは種芋である。
【００１０】
本実施例の芋植付機１０は、図１，２に示すように機体１０の前部には畑３０の植付け箇所３１の土を排土する排土板１１ｄを備え、機体１０の後部には車輪１１ａと、落下した種芋Ｐに覆土する覆土板１１ｅと、覆土された種芋Ｐを軽く押し付けるドラム１１ｆとを備えている。左右の車輪１１ａは車軸１１ｂと一体的に固定され、走行中に片輪が浮いても両輪が回転できるようにしている。
【００１１】
機体１１の上部には、搬送距離の長い第１搬送コンベヤ１２と搬送距離の短い第２搬送コンベヤ１３を機体１１の前後に対して左右向きにするとともに、それぞれの種芋Ｐの載置位置が種芋Ｐを載置する作業者Ｈｂの手が容易に届く近接位置に、且つそれぞれの種芋Ｐの落下位置が牽引車２０を操作する作業者Ｈａの左右両側位置となるように取り付けている。第１及び第２搬送コンベヤ１２，１３の左側部分は下方へ折り曲げ可能で、未使用時はコンパクトな形態にできる。
【００１２】
第１及び第２搬送コンベヤ１２，１３は、図３，４に示すように複数のプーリー１２ｂ，１３ｂで無端のベルト１２ｃ，１３ｃを略三角形状に張り渡し、ベルト１２ｃ，１３ｃに種芋Ｐを１個づつに仕切る複数の仕切板１２ｄ，１３ｄを等間隔に突設し、スプロケット１２ａ，１３ａと車軸１１ｂに備えたスプロケット１１ｃとの間にベベルギヤ１１ｈと変速機１１ｉを介して駆動チェーン１１ｇを掛架している。駆動チェーン１１ｇはバネ（図示せず）で付勢されるテンションローラ１１ｊで緊張している。
【００１３】
本実施例では、図５に示すように芋植付機１０を牽引車２０に連結し、機体１０の側部に種芋Ｐを収容する容器１４を脱着自在に取り付ける。牽引車２０を始動して芋植付機１０を牽引すると、芋植付機１０の車輪１１ａの回転力が車軸１１ｂ・駆動チェーン１１ｇ・変速機１１ｉ・ベベルギヤ１１ｈを経由してスプロケット１２ａ，１３ａに伝達され、第１及び第２搬送コンベヤ１２，１３が作動する。牽引車２０を停止させると車輪１１ａの回転力が伝達されなくなり、第１及び第２搬送コンベヤ１２，１３も停止し、牽引車２０の速度に応じて第１及び第２搬送コンベヤ１２，１３が同速度で連動する。
【００１４】
作業者Ｈａが２条の植付け箇所３１の間を歩行しながら牽引車２０を前進させ、作業者Ｈｂが容器１４から種芋Ｐを取り出して第１及び第２搬送コンベヤ１２，１３に載置する。それぞれの種芋Ｐは右側へ搬送されて降下し、作業者Ｈａの両側の植付け箇所３１それぞれへ落下する。落下後の種芋Ｐは覆土板１１ｅで覆土され、ドラム１１ｆで軽く押し付けて植え付けられる。以上のように、２体の第１及び第２搬送コンベヤ１２，１３で種芋Ｐを一定間隔に落下させることで２条の植付け箇所３１へ同時に植え付けされ、従来の芋植付機と比較して効率的に植え付け作業できる。
【産業上の利用可能性】
【００１５】
本発明の芋植付機は、馬鈴薯や里芋等の種芋の植え付け作業に利用される。
【図面の簡単な説明】
【００１６】
【図１】実施例の芋植付機の左側面図である。
【図２】実施例の芋植付機の背面図である。
【図３】実施例の搬送コンベヤの説明図である。
【図４】実施例の搬送コンベヤへの動力伝達経路を示す説明図である。
【図５】実施例の芋植付機の使用状態を示す平面図である。
【符号の説明】
【００１７】
１０  芋植付機
１１  機体
１１ａ  車輪
１１ｂ  車軸
１１ｃ  スプロケット
１１ｄ  排土板
１１ｅ  覆土板
１１ｆ  ドラム
１１ｇ  駆動チェーン
１１ｈ  ベベルギヤ
１１ｉ  変速機
１１ｊ  テンションローラ
１１ｋ  遊車スプロケット
１２  第１搬送コンベヤ
１２ａ  スプロケット
１２ｂ  プーリー
１２ｃ  ベルト
１２ｄ  仕切板
１３  第２搬送コンベヤ
１３ａ  スプロケット
１３ｂ  プーリー
１３ｃ  ベルト
１３ｄ  仕切板
１４  容器
２０  牽引車
３０  畑
３１  植付け箇所
Ｈａ，Ｈｂ  作業者
Ｐ  種芋
【図１】
2009159923.tif 000003
【図２】
2009159923.tif 000004
【図３】
2009159923.tif 000005
【図４】
2009159923.tif 000006
【図５】
2009159923.tif 000007